(57)【要約】【課題】ＰＣコンクリートプレートを複数枚敷設して形成したコンクリート床構造において、ＰＣコンクリートプレート間の縦方向と横方向の排水溝の幅と通りを均一に設定すると同時に、該ＰＣコンクリートプレートの敷設位置を適切に設定することができるコンクリート床構造を提供する。【解決手段】方形のＰＣコンクリートプレート１，２の複数枚を地面Ｇに敷設し、各ＰＣコンクリートプレート１，２の各コーナー部１１を土台７，８，９により支持し、各ＰＣコンクリートプレート１，２間に排水溝１０を形成すると共に、上記排水溝１０の交差部において並置された上記各コーナー部１１と、上記排水溝１０の端部において並置された上記各コーナー部１１を共用土台７，８にて夫々支持し、該各共用土台７，８に上記排水溝１０内に介在されて上記排水溝１０の幅を設定する間込め定規部１４を一体に設けたコンクリート床構造。【選択図】        図９
2008095403.tif 000002
【特許請求の範囲】
【請求項１】
方形のＰＣコンクリートプレートの複数枚を地面に敷設し、各ＰＣコンクリートプレートの各コーナー部を土台により支持し、各ＰＣコンクリートプレート間に排水溝を形成したコンクリート床構造であって、上記排水溝の交差部において並置された上記各コーナー部と上記排水溝の端部において並置された上記各コーナー部を共用土台にて夫々支持し、該各共用土台に上記排水溝内に介在される間込め定規部を一体に設けて上記排水溝の幅を設定する構成としたことを特徴とするコンクリート床構造。
【請求項２】
上記各ＰＣコンクリートプレートを上記土台により浮かし支持して各ＰＣコンクリートプレートと地面との間に互いに連通し且つ上記排水溝と連通する間隙を形成したことを特徴とする請求項１記載のコンクリート床構造。
【請求項３】
上記排水溝内に砂利を充填したことを特徴とする請求項１又は２記載のコンクリート床構造。
【請求項４】
上記排水溝内にレンガ又はタイルを敷き込んだことを特徴とする請求項１又は２記載のコンクリート床構造。
【請求項５】
上記各ＰＣコンクリートプレートに表面で開口せる複数の蓄光盤収容孔を設けておき、該各蓄光盤収容孔内に蓄光盤を内蔵したことを特徴とする請求項１又は２又は３又は４記載のコンクリート床構造。
【発明の詳細な説明】
【技術分野】
【０００１】
本発明はプレキャストコンクリートプレート（ＰＣコンクリートプレート）で形成した駐車場、テラス、ポーチ等のコンクリート床構造に関する。
【背景技術】
【０００２】
一般にコンクリート製の駐車場、テラス、ポーチ等は、現場打ちコンクリートにて形成されている。
【発明の開示】
【発明が解決しようとする課題】
【０００３】
然しながら現場打ちコンクリートによる場合には、地均し、鉄筋の配設、型枠組み、コンクリート打設、養生等を必要とし、工期と工費が嵩むばかりか、均質性に欠ける問題を有している。
【課題を解決するための手段】
【０００４】
本発明は方形のＰＣコンクリートプレートの複数枚を地面に敷設し、各ＰＣコンクリートプレートの各コーナー部を土台により支持し、各ＰＣコンクリートプレート間に排水溝を形成したコンクリート床構造である。
【０００５】
そして上記排水溝の交差部において並置された上記各コーナー部と、上記排水溝の端部において並置された上記各コーナー部を共用土台にて夫々支持し、該各共用土台に上記排水溝内に介在される間込め定規部を一体に設け、該間込め定規部の介在により上記排水溝の幅を設定する構成としたものである。
【０００６】
間込め定規部は排水溝の幅を均一に設定すると同時に、交差部に配置した共用土台の間込め定規部で各ＰＣコンクリートプレートのコーナー部両側面を規制し敷設位置を設定することができる。
【０００７】
適例として、方形のＰＣコンクリートプレートを地面に縦横に整列して敷設し、各ＰＣコンクリートプレート間に縦横（十字形）に交差する排水溝を形成する。
【０００８】
そして上記排水溝の交差部と端部に配置された上記各共用土台に一体に設けた間込め定規部の上記介在により、縦方向と横方向の排水溝の幅と通りを均一に設定すると同時に、交差部に配置した共用土台の間込め定規部の両側面でＰＣコンクリートプレートのコーナー部両側面を規制し敷設位置を設定する構成としたものである。
【０００９】
上記間込め定規部によりプレートの敷設工事が容易且つ迅速に行える。又雨水や洗車水を上記排水溝内に導入することができ、排水溝を画成する各プレートの辺縁部にて車両タイヤのブレーキ効果を奏じ安全である。
【００１０】
上記各ＰＣコンクリートプレートは上記土台により浮かし支持して各ＰＣコンクリートプレートと地面との間に互いに連通し且つ上記排水溝と連通する間隙を形成し、上記雨水や洗車水を排水溝から該間隙内へ排水し水捌けを良好にする。
【００１１】
又上記間隙の形成によりＰＣコンクリートプレートの下面と地面との干渉をなくし、コーナー部における四点で安定な支持が図れガタつきを防止すると共に、共用土台を用いることによりＰＣコンクリートプレート相互の敷設時におけるレベル設定（平面敷設）が極めて容易である。
【００１２】
上記排水溝は何も充填せずに空溝にするか、該排水溝内に砂利を充填する。砂利は排水溝の透水性を阻害せず、草抑えに有効であり、縦横の排水溝に充填した砂利によりコンクリート床全体の美粧効果を高める。
【００１３】
又上記排水溝内にレンガ又はタイルを敷き込むことができる。レンガやタイルは単に敷き込むだけで、レンガ間又はタイル間は目地込材で封止せず、透水性を確保し、上記美粧効果をも高める。
【００１４】
又上記に加え、上記各ＰＣコンクリートプレートに表面で開口せる複数の蓄光盤収容孔を設けておき、該各蓄光盤収容孔内に蓄光盤を内蔵する。
【００１５】
上記蓄光盤は夜間においてコンクリート床表面の多点において発光し、美観を高めるばかりか、車両の駐車作業を助け、歩行を助ける等、位置表示効果を発揮する。
【発明を実施するための最良の形態】
【００１６】
以下本発明を実施するための最良の形態を図１乃至図１０に基づき説明する。
図１に示す方形で大形のＰＣコンクリートプレート（プレキャストコンクリートプレート）１と、図２に示す方形で小形のＰＣコンクリートプレート２を用意する。
【００１７】
上記ＰＣコンクリートプレート（プレキャストコンクリートプレート）１，２は予め工場で成形したプレートを意味し、埋設鉄筋、骨材、品質、寸法等において均一である。
【００１８】
本発明においてＰＣコンクリートプレート１，２中には、セメントと骨材と砂を主材とする通常コンクリートプレート、レジンコンクリートプレート、繊維補強コンクリートプレート等を含む。
【００１９】
上記レジンコンクリートプレートとしては合成樹脂とセメントと骨材を主材とするプレートと、セメントを入れない合成樹脂と骨材を主材とするプレートを含む。
【００２０】
又繊維補強コンクリートプレートとは鋼繊維や炭素繊維や合成樹脂繊維やガラス繊維を混ぜて成形したプレートである。
【００２１】
上記通常コンクリートプレート、レジンコンクリートプレート、繊維補強コンクリートプレートにおいて、補強手段として埋設鉄筋を用いることができる。又これらプレート中にスラッジ、鉱滓、瓦粉砕物、その他の産業廃棄物、石膏、多孔質の鉱物質材等を含有することを妨げない。
【００２２】
図１に示すように、上記大形ＰＣコンクリートプレート１は短辺（横辺）３と長辺（縦辺）４を有し、該長辺４の長さを短辺３の長さの二倍以上にする。具体例として短辺３を１ｍ、長辺４を２ｍとする。
【００２３】
他方図２に示すように、上記小形ＰＣコンクリートプレート２は上記大形ＰＣコンクリートプレート１を等分割した大きさを有し、具体例として、横辺５を上記大形ＰＣコンクリートプレート１の横辺３と同じ長さにし、縦辺６を上記大形ＰＣコンクリートプレート１の縦辺４の二分の一幅、三分の一幅、四分の一幅にする。図面は小形ＰＣコンクリートプレート２の横辺５を上記大形ＰＣコンクリートプレート１の横辺３と同じ１ｍにし、同縦辺６を同縦辺４の二分の一の長さである１ｍにし正方形にした場合を示している。
【００２４】
尚、小形ＰＣコンクリートプレート２の横辺５も大形ＰＣコンクリートプレート１の横辺３を等分割した長さにすることができる。
【００２５】
図６に示すように、上記大形のＰＣコンクリートプレート１と小形のＰＣコンクリートプレート２を現場に応じ組み合わせて使用し、例えば大形ＰＣコンクリートプレート１の複数枚を地面Ｇに敷設すると共に、小形ＰＣコンクリートプレート２の複数枚を地面Ｇに敷設し、大形ＰＣコンクリートプレート１の列間に小形ＰＣコンクリートプレート２の列を配置する。
【００２６】
又は図７に示すように、現場に応じ上記大形ＰＣコンクリートプレート１のみを使用し、これを地面Ｇに複数枚敷設しコンクリート床を形成する。
【００２７】
上記各ＰＣコンクリートプレート１，２はその各コーナー部１１をコンクリート製の土台７，８，９により支持し、各ＰＣコンクリートプレート１，２間に排水溝１０を形成する。
【００２８】
そして上記排水溝１０の交差部において並置された上記各コーナー部１１を共用土台７にて一緒に支持し、上記排水溝１０の端部において並置された上記各コーナー部１１を共用土台８にて一緒に支持し、該各共用土台７，８に上記排水溝１０内に介在されて上記排水溝１０の幅を設定する間込め定規部１４を一体にコンクリート成形し、該間込め定規部１４の介在により上記排水溝１０の幅を均一に設定する。
【００２９】
適例として、図６，図７に示すように、方形のＰＣコンクリートプレート１，２を地面Ｇに縦横に整列して敷設し、各ＰＣコンクリートプレート１，２の各コーナー部１１を土台７，８，９により支持し、各ＰＣコンクリートプレート１，２間に縦横（十字形）に交差する排水溝１０を形成する。
【００３０】
そして上記排水溝１０の交差部において対置された四つのコーナー部１１を共用土台７にて支持すると共に、同排水溝１０の端部において並置された二つのコーナー部１１を共用土台８にて支持し、該各共用土台７に設けた四つの間込め定規部１４を排水溝交差部の四つの溝に夫々介在し、同様に共用土台８に設けた間込め定規部１４を排水溝端部に介在し、図９に示すように、該間込め定規部１４の介在により上記排水溝１０の幅を設定する。
【００３１】
上記間込め定規部１４は縦方向と横方向の排水溝１０の幅と通りを均一に設定すると同時に、排水溝１０の交差部に配置した各間込め定規部１４でＰＣコンクリートプレート１，２の排水溝交差部を画成するコーナー部１１両側面を規制し敷設位置を設定する。
【００３２】
上記間込め定規部１４によりプレート１，２の敷設工事が容易且つ迅速に行える。又雨水や洗車水を上記排水溝１０内に導入しプレート表面の水溜まりを防止すると共に、排水溝１０を画成する各プレート１，２の辺縁部にて車両タイヤのブレーキ効果を奏ずる。
【００３３】
図３は上記排水溝交差部において対置された四つのコーナー部１１を支持する共用土台７の具体構造例を示しており、同図に示すように、共用土台７の表面に十字形に交差せる四つの間込め定規部１４を共用土台７と一体にコンクリート成形し、該十字形間込め定規部１４にて共用土台７表面に四つの支持面１３を画成する。
【００３４】
図９に示すように、上記共用土台７の十字形の間込め定規部１４は土台表面から排水溝１０の深さ（プレート１，２の厚み）より低い高さに突出し、全体を等幅にする。
【００３５】
上記四つの支持面１３は互いに同一平面内に存し、上記十字形に配した間込め定規部１４の四つの入隅部を画成する直角に交わる二辺を有する三角形又は四角形を呈する。
【００３６】
換言すると上記十字形の間込め定規部１４間に直角の入隅部を有する四つの支持面１３を画成する。
【００３７】
他方、図４は上記排水溝の端部において対置された二つのコーナー部１１を支持する共用土台８の具体構造例を示しており、同図に示すように、共用土台８の表面に間込め定規部１４と横当て定規部１５とがＴ字形に交差せる定規部をコンクリートにて一体成形し、該Ｔ字形の定規部１４，１５にて共用土台８表面に二つの支持面１３を画成する。
【００３８】
図９に示すように、上記共用土台８のＴ字形の定規部１４，１５は土台表面から排水溝１０の深さ（プレート１，２の厚み）より低い高さに突出し、全体を等幅にする。
【００３９】
上記二つの支持面１３は互いに同一平面内に存し、上記間込め定規部１４と横当て定規部１５の二つの入隅部を画成する直角に交わる二辺を有し、全体として三角形又は四角形を呈する。
【００４０】
換言すると上記Ｔ字形に連成した間込め定規部１４と横当て定規部１５間に直角の入隅部を有する二つの支持面１３を画成する。
【００４１】
上記共用土台８を排水溝１０の端部に配置し、上記間込め定規部１４を端部排水溝１０内に介在しつつ、該端部排水溝１０を画成する上記二つのコーナー部１１を各支持面１３にて支持し、横当て定規部１５をＰＣコンクリートプレート１，２の外側面に添え規制する。
【００４２】
上記間込め定規部１４の両側面と、横当て定規部１５の内側面でＰＣコンクリートプレート１，２のコーナー部１１両側面を規制し敷設位置を設定すると同時に、縦方向又は横方向の排水溝１０の幅と通りを均一に設定する。
【００４３】
上記共用土台７，８の各定規部１４，１５は基部から頂面へ向け逃げ斜面とし、プレートコーナー部１１の支持面１３に対する支持作業を容易にする。この場合コーナー部１１は各定規部１４，１５の基部側面に規制される。
【００４４】
又図５に示すように、単独土台９はＰＣコンクリートプレート１，２を敷設して形成した方形のコンクリート床の四つのコーナー部（該コーナー部を形成するＰＣコンクリートプレート１又は２のコーナー部１１）を支持する支持面１３と、該支持面１３を画成するＬ字形に交差せる横当て定規部１５を有する。
【００４５】
前記と同様、単独土台９の表面にＬ字形に交差せる横当て定規部１５をコンクリートにて一体成形し、該Ｌ字形の横当て定規部１５の入隅部に一つの支持面１３を画成する。
【００４６】
上記単独土台９のＬ字形の横当て定規部１５は土台表面から排水溝１０の深さ（プレート１，２の厚み）より低い高さに突出し、全体を等幅にする。
【００４７】
上記支持面１３は上記Ｌ字形に連成された横当て定規部１５の入隅部を画成する直角辺を有し、全体として四角形又は三角形を呈する。
【００４８】
換言すると上記Ｌ字形の横当て定規部１５の入隅部にて上記四角形又は三角形の一つの支持面１３を画成する。該四角形の支持面１３は共用土台７，８に使用することができる。
【００４９】
上記単独土台９を方形のコンクリート床のコーナー部に配置し、支持面１３にて該方形床のコーナー部を形成するＰＣコンクリートプレート１又は２のコーナー部１１を支持すると共に、上記Ｌ字形の横当て定規部１５を方形床のコーナー部を形成するＰＣコンクリートプレート１又は２のコーナー部１１の外側面に添え規制する。
【００５０】
上記Ｌ字形の横当て定規部１５は上記共用土台７，８と協働してその内側面で方形床を形成するＰＣコンクリートプレート１又は２のコーナー部１１両側面を規制し敷設位置を設定すると同時に、縦方向又は横方向の排水溝１０の幅と通りの均一な設定を補完する。
【００５１】
上記各ＰＣコンクリートプレート１，２は上記共用土台７，８と単独土台９により地面Ｇから浮かし支持するように四点支持し、各ＰＣコンクリートプレート１，２と地面Ｇとの間に互いに連通し且つ上記排水溝１０と連通する間隙１６を形成し、雨水や洗車水を排水溝１０から該間隙１６内へ排水し水捌けを図る。
【００５２】
又上記間隙１６の形成によりＰＣコンクリートプレート１，２の下面と地面Ｇとの干渉をなくし、コーナー部１１において四点支持することによりプレート１，２を安定に支持しガタつきを防止すると共に、共用土台７，８を用いることによりＰＣコンクリートプレート１，２相互の敷設時におけるレベル設定を図り、平面敷設を容易にする。
【００５３】
上記排水溝１０は何も充填せずに空溝にするか、図６，図８に示すように、該排水溝１０内に細かい砕石等から成る砂利１７を充填する。砂利１７は排水溝１０の透水性を阻害せず、草抑えに有効であり、縦横に交差する排水溝１０に充填した砂利１７によりコンクリート床全体の美粧効果を高める。
【００５４】
又は図７に示すように、上記排水溝１０内にレンガ又はタイル１８を敷き込む。該レンガやタイル１８は単に敷き込むだけで、レンガ１８間又はタイル１８間には目地込材で封止せず、透水性を確保する。
【００５５】
上記排水溝１０内に敷き込んだレンガ又はタイル１８はＰＣコンクリートプレート１，２の敷設によって形成されたコンクリート床全体に上記美粧効果を付与する。
【００５６】
上記砂利１７やレンガ又はタイル１８はＰＣコンクリートプレート１，２の敷設によって形成されたコンクリート床の周囲を囲むように等幅に充填乃至敷き込むことができる。
【００５７】
図６，図７，図１０に示すように、上記各ＰＣコンクリートプレート１，２に表面で開口せる複数の蓄光盤収容孔１９を設けておき、該各蓄光盤収容孔１９内に蓄光盤２０を内蔵する。
【００５８】
上記蓄光盤収容孔１９及び蓄光盤２０は各ＰＣコンクリートプレート１，２の表面にバランス配置し、夜間にコンクリート床の全面において均一に発光せしめる。
【００５９】
即ち上記蓄光盤２０は夜間においてコンクリート床表面の多点において発光して美観を付与し、車両の駐車作業を助け、歩行を助ける等、位置表示効果を発揮する。
【００６０】
図１０に示すように、上記蓄光盤２０は蓄光材で蓄光可能にした蓄光ヘッド２１と、該蓄光ヘッド２１から垂設した外周面に雄ねじ２３を形成した合成樹脂製の脚部２２を有し、他方上記蓄光盤収容孔１９の底部に収容孔１９と連通する雌ねじ２５を有する取り付け孔２４を連設し、該取り付け孔２４に脚部２２を螺合しつつ、収容孔１９内に蓄光ヘッド２１を収容し固定する。
【００６１】
上記蓄光盤収容孔１９の底部に雌ねじ２５を有する取り付け孔２４を形成する手段として、例えば合成樹脂製のアンカー筒２６をＰＣコンクリートプレート１，２と一体に埋め込み、該アンカー筒２６の内周面に形成した雌ねじ２５に上記脚部２２の雄ねじ２３を螺合する構成にする。
【００６２】
上記螺合による蓄光盤２０の収容孔１９内への内蔵と固定、螺合解除による取り外しが自在である。
【００６３】
上記取り付け孔２４はＰＣコンクリートプレート１，２の敷設時における吊り上げ孔として兼用する。即ちクレーンの吊り上げ装置にてＰＣコンクリートプレート１，２を敷設する場合、該吊り上げ装置の吊り手の４個又は３個の雄ねじを上記４個又は３個の取り付け孔２４の雌ねじ２５に夫々螺合しＰＣコンクリートプレート１，２を略水平に吊り上げ、敷設後螺合解除する。
【００６４】
更にＰＣコンクリートプレート１，２の側面に反転用吊り上げピン２７を一体に設ける。該吊り上げピン２７はＰＣコンクリートプレート１，２の側面から突出しないよう、同プレート１，２の側面に凹欠部２８を設け、該凹欠部２８内に吊り上げピン２７を突出せしめる。
【００６５】
上記吊り上げピン２７にクレーンの吊り上げ装置の吊り手を係合し、プレート１，２の反転を行う。
【図面の簡単な説明】
【００６６】
【図１】Ａは大形ＰＣコンクリートプレートの平面図、Ｂはその長辺側側面図、Ｃはその短辺側側面図。
【図２】Ａは小形ＰＣコンクリートプレートの平面図、Ｂはその横辺側側面図、Ｃはその縦辺側側面図。
【図３】Ａは並置された四コーナー部を支持する共用土台の平面図、Ｂは同側面図。
【図４】Ａは並置された二コーナー部を支持する共用土台の平面図、Ｂは同側面図。
【図５】Ａはコンクリート床のコーナー部を支持する単独土台の平面図、Ｂは同側面図。
【図６】大形と小形のＰＣコンクリートプレートを敷設して形成したコンクリート床を例示する平面図。
【図７】大形のＰＣコンクリートプレートを敷設して形成したコンクリート床を例示する平面図。
【図８】図６におけるＡ−Ａ線断面図。
【図９】図６におけるＢ−Ｂ線とＣ−Ｃ線断面図。
【図１０】図６におけるＤ−Ｄ線断面図。
【符号の説明】
【００６７】
１…大形ＰＣコンクリートプレート、２…小形ＰＣコンクリートプレート、３…大形ＰＣコンクリートプレートの短辺（横辺）、４…同長辺（縦辺）、５…小形ＰＣコンクリートプレートの横辺、６…同縦辺、７，８…共用土台、９…単独土台、１０…排水溝、１１…ＰＣコンクリートプレートのコーナー部、１３…支持面、１４…間込め定規部、１５…横当て定規部、１６…間隙、１７…砂利、１８…レンガ又はタイル、１９…蓄光盤収容孔、２０…蓄光盤、２１…蓄光ヘッド、２２…脚部、２３…脚部の雄ねじ、２４…取り付け孔、２５…取り付け孔の雌ねじ、２６…アンカー筒、２７…反転用吊り上げピン、２８…凹欠部、Ｇ…地面。
【図１】
2008095403.tif 000003
【図２】
2008095403.tif 000004
【図３】
2008095403.tif 000005
【図４】
2008095403.tif 000006
【図５】
2008095403.tif 000007
【図６】
2008095403.tif 000008
【図７】
2008095403.tif 000009
【図８】
2008095403.tif 000010
【図９】
2008095403.tif 000011
【図１０】
2008095403.tif 000012